(57)【特許請求の範囲】
【請求項１】
平面視略正方形を呈する一人掛けの座部と該座部の隣接する２辺に形成された平面視略Ｌ状を呈する背もたれ部と前記座部の下部側に配置された移動手段とを備えたいす体、及び、前記背もたれ部の外輪郭に沿った平面視略Ｌ状を呈するパネル体を備え、該パネル体を前記いす体の背もたれ部の背後に取付けたいすであって、前記パネル体が、その外輪郭形状をなす外形フレームを杆又は管で形成すると共に該外形フレームが平面から見た左右両側の下半側を前記座部の脇へ略翼状に突出させた翼状部を具備し且つ当該外形フレームをカバーする張り地をその外形フレームに被せて形成したことを特徴とするセミクローズいす。
【請求項２】
上記パネル体は、少なくとも立姿勢の人の視線の高さと略同等の高さを有する請求項１のいす。
【請求項３】
外形フレームは、左右幅の少なくとも中間部と前記突出させた翼状部の近傍に縦向きの補強杵を備える請求項１又は請求項２のセミクローズいす。
【請求項４】
外形フレームに被せる張り地は、着席者の頭部より下方に帯状の透視部を具備する請求項１〜請求項３のいずれかのセミクローズいす。
【請求項５】
請求項１〜請求項４のいずれかのいすの２個を、両いすのパネル体を左右で当接乃至近接配置して形成するセミクローズいす。
【発明の詳細な説明】
【技術分野】
【０００１】
本発明は、単独使用においても周囲の視線等に対する遮蔽性が高く、例えば２個を左右で並べて使用するとより遮蔽性が高いセミクローズ空間を形成することができるセミクローズいすに関する
【背景技術】
【０００２】
近時、少人数での打合せや一人での集中したイメージング作業等に適したオフィス家具として、いわゆるセミクローズ家具が注目されている。
【０００３】
従来のセミクローズ家具の典型例は、例えば、特許文献１などに示されているように衝立パネル等で打合せ用等のブースを形成し、このブースの中に複数の椅子やテーブル等を配置する形態である。
【０００４】
この形態であるため前記空間の場所を変えるには、少なくとも衝立パネルを移動してブースを再構築した上で、テーブルや椅子を移すという煩わしさがあり、また、この空間を一人で使用して集中作業等をするにはスペースの無駄があった。
【先行技術文献】
【特許文献】
【０００５】
【特許文献１】特許第３３１２６２３号公報
【特許文献２】特開２０１１−１０４４１６公報
【発明の概要】
【発明が解決しようとする課題】
【０００６】
そこで本発明は、少なくとも２個、好ましくは４個のいすを配置すればそのままセミクローズ空間を形成でき、またその空間を移動するにはいすを動かせば済み、さらにはいす単独での使用においても周囲の視線から十方に遮蔽された使用感を実現できるセミクローズタイプのいすを提案することを課題とする。
【課題を解決するための手段】
【０００７】
上記課題を解決することを目的としてなされた本発明セミクローズいすの構成は、平面視略正方形を呈する一人掛けの座部と該座部の隣接する２辺に形成された平面視略Ｌ状を呈する背もたれ部と前記座部の下部側に配置された移動手段とを備えたいす体、及び、前記背もたれ部の外輪郭に沿った平面視略Ｌ状を呈するパネル体を備え、該パネル体を前記いす体の背もたれ部の背後に取付けたいすであって、前記パネル体が、その外輪郭形状をなす外形フレームを杆又は管で形成すると共に該外形フレームはが平面から見た左右両側の下半側を前記座部の脇へ略翼状に突出させた翼状部を具備し且つ当該外形フレームをカバーする張り地をその外形フレームに被せて形成したことを特徴とするものである。
【０００８】
上記パネル体は、少なくとも立姿勢の人の視線を遮る高さを有することが好ましい。また、前記パネル体の外形フレームは、平面から見た左右両側の少なくとも下半側を前記座部の脇へ略翼状に突出させた翼状部を具備している。さらに、この外形フレームは、左右幅の少なくとも中間部と前記突出翼状部の近傍とに縦向きの補強杆を備えたものである。
【０００９】
次に、前記パネル体の外形フレームに被せる張り地は、着席者の頭部より下方に帯状の透視部を具備した張り地を適用することができる。透視部は細かい織り目の網のような透視管であれば足りる。このような透視部であると、着席者の有無と、本発明いすの側部や背後に居る人の有無を視認することができて便利である。
【発明の効果】
【００１０】
本発明は、キャスタを具備したほぼ正方形の座部を備えたいす体と、このいす体の背後に取付けて当該いす体に一体化した視覚遮蔽性のパネル体とにより、セミクローズ性のいすを形成したから、このいす単独の使用でもセミクローズ感を得ることができるが、当該椅子を例えば複数並べたり、空間内に存在する壁体などと組み合わせて用いることによって、一段と遮蔽性の高いセミクローズ空間を形成することができる。このセミクローズ空間は、夫々のいすを動かすことによって、そのセミクローズ空間を容易に移動させたりその空間の形状を変更させることができる。
【図面の簡単な説明】
【００１１】
【図１】本発明いすの一例の斜視図。
【図２】図１のいすの正面図。
【図３】図１のいすの左側面図。
【図４】図１のいすの平面図。
【図５】図１〜図４の本発明いすの構成部材を模式的に示した分解斜視図。
【図６】図１〜図５に示した本発明いすと、もう1個の本発明いすとを平面視で対称形態並べて形成した本発明セミクローズいすの例の斜視図。
【発明を実施するための形態】
【００１２】
本発明いすの実施の形態例について、図を参照して以下に説明する。
【００１３】
図１〜図４に示した本発明いすの一例は、図５に示した３つの構成部材、ここではいす体Ｃｂ、パネル体Ｐｂ、背もたれクッションＢｑとから成る。
いす体Ｃｂは、平面から見て略正方形で適宜厚味を有する座部１と、該座部１の隣り合う２つの辺に沿って立上げた形の高さが低い平面視略Ｌ状の背もたれ部２と、前記座部１の底面側の四隅に設けた４個のキャスタ３とを備えて形成されている。
【００１４】
ここで、図示した座部１は、上方の座面部１ａと該座面部１ａを載架して支持した下方の基部１ｂとから成り、キャスタ３は前記基部１ｂの下面に設けられている。本発明において座部１の構成は上記例に限られるものではなく、座面部１ａと基部１ｂとが上下に積層されない一体型の座部１であってもよい。この場合、キャスタ３は取付脚（図示せず）などを介して座面部１ａと一体の基部１ｂに設けられる。座部１は、一例として、図示しない枠体などで形成した内部構造に座クッション等を配置して形成されているが、本発明いすにおけるいす体Ｃｂの座部１は上記例のものに限られるものではない。
【００１５】
低い背もたれ部２は、前記座部１の隣合う２辺に沿った平面視略Ｌ状で適宜の厚さｔ２を有して形成されている。この背もたれ部２は、一例として前記座部１における枠体等による内部構造と一体の、又は、前記構造の上に配置された内部構造にクッション材などを配置して形成されているが、本発明のいす体Ｃｂにおける背もたれ部２の構造はこれに限られる訳ではない。
本発明では、上記の座部１、背もたれ部２、キャスタ３により、いす体Ｃｂの一例が形成される。このいす体Ｃｂにセットされる背もたれクッションＢｇ（以下、単に「クッションＢｑ」と略す。）について以下に説明する。
【００１６】
図５におけるクッションＢｑは、正面から見て横長の長方形や正方形であり、その高さｈ１が、前記背もたれ部２の座面からの高さｈ２より高く形成されていると共に、左右幅ｗ１が背もたれ部２の左右方向の内幅ｗ２と略同等乃至少し小さく形成されていて、前記いす体Ｃｂの背もたれクッションとして用いられる。このクッションＢｑは、いす体Ｃｂの背もたれ部２に対し任意の位置に置けるから、平面視略Ｌ状の背もたれ部２に正対させて置くことは勿論、Ｌ状の背もたれ部２のコーナー部分に斜めの姿勢で置いて前記座面部１ａの手前側の２辺とその両辺の交叉部を中心にした着席姿勢における背もたれとして機能させることができる。なお、このクッションＢｑの厚さｔ１は、背もたれ部の厚さｔ２と同等乃至それよりも大きく形成されている。また、クッションＢｑは、内部のクッション体を織布等の外皮でくるんだ形態に形成されている。
【００１７】
上記のクッションＢｑを備えたいす体Ｃｂに対し、本発明では、パネル体Ｐｂを前記いす体Ｃｂに取付け当該いす体Ｃｂと一体化することにより、本発明いすが形成されるので、以下にパネル体Ｐｂについて説明する。
【００１８】
パネル体Ｐｂは、平面から見たとき、いす体Ｃｂの背もたれ部２を平面から見た外形に沿った略Ｌ状の平面形状であって、当該パネル体Ｐｂ全体の外輪部に沿う形状の外形フレームは４と、この外形フレーム４に対する補強部材等として機能する３本の縦向き支骨５と、前記外形フレーム４の上位辺４ａの上に略平行姿勢で設けたハンドルバー６と、前記外形フレーム４の全体を表裏から包むように、当該フレーム４に被せられた張り地７とによって形成されている。前記フレーム４，支骨５，ハンドルバー６は、軽量の金属材、例えばアルミなどの棒材又はパイプ材により形成したものであるが、前記フレーム等の材質はこれに限られる訳ではない。
ここで、前記パネル体Ｐｂの高さとしては、少なくとも立ち姿勢の人からの視線を遮る高さ、つまり、いす体Ｃｂに座っている人（家具の内側）とパネル体Ｐｂの外側に立っている人（家具の外側）同士の視線を遮ることができる高さを選択することが望ましい。パネル体Ｐｂが少なくともその高さを有していれば、いす体Ｃｂに座っている人（家具の内側）とパネル体Ｐｂの外側に立っている人（家具の外側）同士の視線を遮る関係のみならず、パネル体Ｐｂの内側に立っている人（家具の内側）と他の椅子等に座っている人（家具の外側）との視線が合うことも防ぐことが可能であり、セミクローズ感を得ることができる。
一方、前記パネル体Ｐｂの高さを、そのパネル体Ｐｂの内側に立っている人（家具の内側）と当該パネル体Ｐｂの外側に立っている人（家具の外側）同士の視線を遮ることができる程度の高さに設定すると、本発明いすＣＨは周囲の人に圧迫感を与えてしまう。
従って、前記パネル体Ｐｂの高さとしては１２０ｃｍ〜１５０ｃｍの範囲が好ましく、より好ましくは、１３０ｃｍ〜１４０ｃｍ程度である。
【００１９】
平面視略Ｌ状の外形フレーム４において、支骨５は、当該フレーム４の中間部と、左右の側端部に垂直に設けられている。また、前記外形フレーム４において、左右の支骨５の前方側は、当該フレーム４の左右の縦部材４ｃ，４ｄの下半側が前記いす体Ｃｂにおける前面側に回り込むように形成されて張り地７が設けられ、左右の翼状部４１Ｌ，４１Ｒを有するパネル体Ｐｂに形成されている。
【００２０】
因みに、上記外形フレーム４は、上位の横部材４ａと、下位の横部材４ｂと、上下の横部材４ａ，４ｂの先端部を繋ぐ形態の左右の縦部材４ｃ，４ｄとから形成されているから、前記翼状部４１Ｌ，４１Ｒは、下位の横部材４ｂの外端を座部１の前面側に曲げて延長した延長部４１ｂを設け、該延長部４１ｂの先端に左右の縦部材４ｃ，４ｄを結合したフレーム形態とし、このフレーム４に張り地７を設けることによって形成される。なお、上記張り地７は、中間部を帯状にメッシュ地等の透明性の部材Ｔｈで形成することが好ましい。
【００２１】
本発明いすにおいて、上記パネル体Ｐｂは、前記いす体Ｃｂの背もたれ部２の背後に当てがわれ当該いす体Ｃｂに結合固定されることにより、本発明いすの一例に形成される。
前記パネル体Ｐｂといす体Ｃｂの結合一体化のための構成は、図示しないが一例として、いす体Ｃｂの背もたれ部２の内部にパネル体Ｐｂの結合用フレームを配置すると共に、パネル体Ｐｂにも前記結合用フレームに対応させて結合用フレームを設けておき、双方の結合用フレームを、例えばボルト，ナット等により結合する。なお、パネル体Ｐｂをいす体Ｃｂと結合一体する場合には、張り地７をパネル体Ｐｂの外形フレーム４に被せる前に結合することがある。
【００２２】
以上により、いす体Ｃｂとパネル体Ｐｂとが結合一体化された図１〜図４に示す本発明いすＣＨの一例が形成される。
本発明いすＣＨは、座部１が略正方形であるが、その着座位置は、パネル体Ｐｂがない座面部１ａの開放された２つの辺の向きと、この２辺が交わる中間部の３点の向きである。そして着座する向きに応じてクッションＢｑを２つの背もたれ部２やそれらの中間部に置いて座ると、着座者の背後が立姿勢の人の視線を遮る高さのパネル体Ｐｂによって遮蔽されているから、着座者は開放されている正面のほかは、前記パネル体Ｐｂでほぼ遮蔽されたクローズ感を感じながら集中した作業や読書等を行うことができる。
【００２３】
着座時に上記のクローズ感が得られる本発明いすＣＨは、略正方形状の座部１の対角線上において平面から見て左右対称な形であるから、２個の本発明いすＣＨを、図６のように横並びで配置すると、２個の本発明いすＣＨでかなりの遮蔽度のセミクローズ空間を形成することができる。
【００２４】
さらに、図６に例示した２個を並べた本発明いすＣＨの２組を向い合わせて配置すると、あたかも４個のＬ型パネル体Ｐｂで囲まれたようなクローズ感が高い椅子付きのセミクローズブースを形成することができる。  
同様に、３つの本発明いすＣＨを、例えば略正三角形の頂点位置に配置させ、それぞれ座部１の開放側（座部１のうちパネル体Ｐｂが設けられていない隣り合う２つの辺の側）を向い合わせて配置すると、あたかも３個のＬ型パネル体Ｐｂで囲まれたようなクローズ感が高い椅子付きのセミクローズブースを形成することができる。
【００２５】
上記のような本発明いすＣＨの配置によるセミクローズ空間の形成には、パネル体Ｐｂのハンドルバー６を掴んで本発明いすＣＨをそのキャスタ３によって移動させるだけで容易に形成することができる。
【００２６】
上記実施例では、本発明いすＣＨの移動手段の一例としてキャスタ３を設けたが、本発明はこれに限定される必要はなく、前記いすＣＨを移動させたり、向きを変えることを容易に行えるようなものであれば、例えばコロ部材やソリ部材等の適宜の移動手段を採用することができる。
また、本発明いすＣＨを移動させやすいようにするため、人手で把持できる移動補助手段を設けてもよい。移動補助手段としては、パネル体Ｐｂの上部にハンドル状の把持部を設けたり、座部１の座面部１ａや基部１ｂの前面に人手で把持できるストラップ状の把持部などを設けてもよい。
【００２７】
本発明いすＣＨは以上の通りであるから、セミクローズ空間を形成するための家具としてきわめて有用である。
【符号の説明】
【００２８】
Ｃｂ  いす体
１  座部
２  背もたれ部
３  キャスタ
Ｂｑ  背もたれクッション
Ｐｂ  パネル体
４  外形フレーム
４ａ，４ｂ  横部材
４ｃ，４ｄ  縦部材
４１ｂ  延長部
５  支骨
６  ハンドルバー
７  張り地
４１Ｌ，４１Ｒ  翼状部
ＣＨ  本発明いす
【図１】
0006639871.tif 000002
【図２】
0006639871.tif 000003
【図３】
0006639871.tif 000004
【図４】
0006639871.tif 000005
【図５】
0006639871.tif 000006
【図６】
0006639871.tif 000007